(57)【要約】【課題】本発明は、車体側との擦れ合いに起因する異音の発生を防止するとともに生産性の高い仮止めクリップ及び仮止めクリップの製造方法並びに仮止めクリップ付き窓用板状体を提供することを目的とする。【解決手段】本発明の仮止めクリップ１２は、基部２２、基台部１８、及び爪部２４からなる樹脂製のクリップ本体２６と、車両側の窓用開口枠部３２に当接される緩衝層３０とが押出成形装置５０により押し出されて溶着されることにより一体成形される。これにより、後工程にて緩衝部材をクリップ本体に貼り付ける従来の仮止めクリップと比較して、高い生産性を得ることができる。また、一体成形された緩衝層３０により、窓用開口枠部３２との擦れ合いによる異音の発生を防止することができる。【選択図】図２
2008175387.tif 000002
【特許請求の範囲】
【請求項１】
基部と、前記基部の底面に略平行に形成された基台部と、前記基部の上面から該基部の底面に対して略平行に延出形成された爪部とからなる樹脂製のクリップ本体を備え、前記基台部と前記爪部との間の隙間に仮止め用の凹部が形成された仮止めクリップであって、前記クリップ本体には、少なくとも前記凹部が仮止めされる車両本体と当接する面に緩衝層が一体形成されていることを特徴とする仮止めクリップ。
【請求項２】
前記緩衝層は、前記クリップ本体よりも軟質の樹脂材料によって形成されている請求項１に記載の仮止めクリップ。
【請求項３】
前記クリップ本体の窓用板状体と当接される面には接着層が形成され、該接着層は前記クリップ本体よりも軟質の樹脂によって形成されている請求項１、又は２に記載の仮止めクリップ。
【請求項４】
前記緩衝層と前記接着層とが同一の樹脂によって前記クリップ本体に一体成形されている請求項３に記載の仮止めクリップ。
【請求項５】
請求項１、２、３又は４のうちいずれか一つに記載の仮止めクリップは、少なくとも二つ以上の異なる組成の材料を用いて一体に成形されて製造されることを特徴とする仮止めクリップの製造方法。
【請求項６】
前記仮止めクリップは、前記少なくとも二つ以上の異なる組成の樹脂材料を用いて一体に押し出し成形されて製造される請求項５に記載の仮止めクリップの製造方法。
【請求項７】
請求項１、２、３又は４のうちいずれか一つに記載の仮止めクリップが固着されたことを特徴とする仮止めクリップ付き窓用板状体。
【発明の詳細な説明】
【技術分野】
【０００１】
本発明は、車両用板状体である窓ガラスを車両本体の窓用開口枠部に仮止めするための仮止めクリップ及び仮止めクリップの製造方法並びに仮止めクリップ付き窓用板状体に関する。
【背景技術】
【０００２】
近年、車両の窓用開口枠部により形成される開口部に取り付けられる車両用窓ガラスは、開口枠部にウレタン系等の接着剤によって固定されている。この窓ガラスの固定方法は、接着剤が硬化して所定の接着強度を得るまでに数時間を要することから、窓ガラス側に仮止めクリップをあらかじめ固着しておき、この仮止めクリップを開口枠部に形成された嵌合用孔に嵌着することにより、接着剤が硬化するまでの間、窓ガラスを開口枠部に仮止めするようにしている。
【０００３】
特許文献１に開示された仮止めクリップのクリップ本体は、ＰＢＴ又は硬質ＰＶＣで形成されており、略直方体状の基部と、基部の側面から水平に延出するアームと、基部の上面から上方に延出する爪部とによって構成されている。また、この仮止めクリップの底面は、窓ガラスに対する溶着を促進するために板状の軟質ＰＶＣシートが接着されている。この仮止めクリップを窓ガラスの所定の位置に溶着し、仮止めクリップの爪部を、車両の開口枠部に形成された嵌合用孔に嵌着することにより、窓ガラスを仮止めする。
【０００４】
特許文献１の仮止めクリップのクリップ本体は、硬質樹脂で射出成形することにより製造され、このクリップ本体の底面に前記軟質ＰＶＣシートを後工程にて接着している。
【特許文献１】特許第３６８０２７０号公報
【発明の開示】
【発明が解決しようとする課題】
【０００５】
しかしながら、特許文献１の仮止めクリップは、車体に発生した振動、コーナーリング時やタイヤの突き上げ時に生じる車体の捩れ等に起因して、クリップ本体と嵌合用孔の縁部とが擦れ合い、その部分から擦過音、きしみ音、低級音等の異音が発生するという欠点があった。異音の発生原因は、硬質樹脂製のクリップ本体と自動車用鋼板製の窓用開口枠部の硬質部材同士が擦れ合うことにあると考えられる。
【０００６】
よって、このような異音問題は、クリップ本体の、嵌合用孔の縁部に当接する部分に不織布等の緩衝部材を貼り付け、この緩衝部材によって硬質部材同士の擦れ合いを緩衝することにより解消できる。しかし、緩衝部材付きの仮止めクリップを製造するためには、緩衝部材を貼り付ける工程が加わるため、仮止めクリップの生産性が悪くなりコストが増大するという問題があった。
【０００７】
本発明は、このような事情に鑑みてなされたもので、車体側との擦れ合いに起因する異音の発生を防止するとともに生産性の高い仮止めクリップ及び仮止めクリップの製造方法並びに仮止めクリップ付き窓用板状体を提供することを目的とする。
【課題を解決するための手段】
【０００８】
請求項１に記載の仮止めクリップの発明は、前記目的を達成するために、基部と、前記基部の底面に略平行に形成された基台部と、前記基部の上面から該基部の底面に対して略平行に延出形成された爪部とからなる樹脂製のクリップ本体を備え、前記基台部と前記爪
部との間の隙間に仮止め用の凹部が形成された仮止めクリップであって、前記クリップ本体には、少なくとも前記凹部が仮止めされる車両本体と当接する面に緩衝層が一体形成されていることを特徴としている。
【０００９】
請求項１に記載の発明によれば、基部、基台部、及び爪部からなる樹脂製のクリップ本体と、車両に当接される緩衝層とを一体形成して仮止めクリップを製造するので、後工程にて緩衝部材をクリップ本体に貼り付ける従来の仮止めクリップと比較して、高い生産性を得ることができる。また、一体成形された緩衝層により車体側との擦れ合いによる異音の発生を防止することができる。一体成形の手法としては、仮止めクリップの断面形状に対応した金型から樹脂材料を押し出すことにより仮止めクリップを成形する押出成形法、仮止めクリップの形状に対応した空間を有する金型に樹脂材料を射出することにより仮止めクリップを成形する射出成形法がある。
【００１０】
請求項２に記載の発明は、請求項１において、前記緩衝層は、前記クリップ本体よりも軟質の樹脂材料によって形成されていることを特徴とする。
【００１１】
請求項２に記載の発明によれば、緩衝層はクリップ本体よりも軟質の樹脂製であるので、車両との擦れ合いを緩衝することができ、異音の発生を防止することができる。一方でクリップ本体は、板状体を所定の位置に位置ずれすることなく仮止めする必要があるため、剛性のある硬質の樹脂材料で製造される。ここで硬質とはＨｓＡ８５以上、好ましくはＨｓＡ８５〜１００、更に好ましくはＨｓＡ８５〜９５までの樹脂を指し、軟質樹脂とはＨｓＡ８５以下、好ましくはＨｓＡ５０〜７０、更に好ましくはＨｓＡ５５〜６５までの樹脂を指す。ＨｓＡ８５未満であると、クリップ本体に要求される仮止め機能が低下し、ＨｓＡ７０を超えると、擦れ合いの緩衝機能が低下するからである。また、ＨｓＡ６０未満であっても緩衝機能が得られるが、あまりにも軟質であると、仮止め機能に悪影響を及ぼす。このような理由から、双方の機能を兼備するため緩衝層の硬さはＨｓＡ６０以上が好ましい。クリップ本体の樹脂材料としては、硬質塩化ビニル樹脂（ＰＶＣ）又はポリブチレンテレフタレート（ＰＢＴ）等の熱可塑性樹脂、緩衝層の樹脂材料としては、軟質ΡＶＣ又は塩素化エチレンコポリマー架橋体アロイによる熱可塑性ゴム（商品名：アルクリン（米国デュポン社製））を例示できる。
【００１２】
請求項３に記載の発明は、請求項１又は２において、前記クリップ本体の窓用板状体と当接される面には接着層が形成され、該接着層は前記クリップ本体よりも軟質の樹脂材料によって形成されていることを特徴とする。
【００１３】
請求項３に記載の発明によれば、クリップ本体の窓用板状体と当接される面に接着層を形成したので、窓用板状体に仮止めクリップを容易に取り付けることができる。この接着層は、クリップ本体の成形後にクリップ本体に接着してもよいが、生産性を高めることから緩衝層と同様にクリップ本体と一体形成することが好ましい。また、この接着層は、車体からクリップ本体を介して伝達された振動を、窓用板状体に伝達することなく緩衝するために、軟質の樹脂製であることが好ましい。
【００１４】
請求項４に記載の発明は、請求項３において、前記緩衝層と前記接着層とが同一の樹脂材料によって前記クリップ本体に一体成形されていることを特徴とする。
【００１５】
請求項４に記載の発明によれば、緩衝層は擦れ合いによる異音を防止することを目的とし、接着層は振動を緩衝することを目的としており、目的はそれぞれ異なるが、双方の目的を達成する樹脂の特性は、クリップ本体よりも軟質であることを要する。よって、緩衝層及び接着層をわざわざ別の軟質樹脂とするのではなく、同一の樹脂とすることにより、樹脂材料の管理が容易になり、また、樹脂材料のコストを削減することができる。
【００１６】
請求項５に記載の仮止めクリップの製造方法の発明は、前記目的を達成するために、請求項１、２、３又は４のうちいずれか一つに記載の仮止めクリップは、少なくとも二つ以上の異なる組成の樹脂材料を用いて一体に成形されて製造されることを特徴とする。
【００１７】
請求項５に記載の発明によれば、少なくとも二つ以上の異なる組成の樹脂材料を用いて一体に成形することにより、仮止めクリップを製造する。これにより、高い生産性を得ることができるとともに、前記樹脂材料のうち軟質の樹脂材料によって、車体側との擦れ合いによる異音の発生を防止することができる。
【００１８】
請求項６に記載の発明は、請求項５において、前記仮止めクリップは、前記少なくとも二つ以上の異なる組成の樹脂材料を用いて一体に押し出し成形されて製造されることを特徴とする。
【００１９】
請求項６に記載の発明によれば、少なくとも二つ以上の異なる組成の樹脂材料を用いて一体に押し出し成形（多層同時押し出し形成）することにより仮止めクリップを製造する。例えば、ダイと称される金型の出口から樹脂材料を押し出すことにより、仮止めクリップを押し出し形成する。このダイの出口には、クリップ本体用樹脂材料と緩衝層用樹脂材料とを隔離する隔壁が設けられ、クリップ本体用樹脂材料と緩衝層用樹脂材料とをダイの出口に設けられた別々の出口より押し出し、押し出されたクリップ本体部と緩衝層部とを融着させて仮止めクリップを成形する方法を例示できる。
【００２０】
このように多層同時押し出し成形により仮止めクリップを製造することにより、短時間で仮止めクリップを製品化できるので、コストダウンを図ることができる。また、押し出し成形は、ダイの金型の形状を変えるだけで、製品の断面形状を自由に変更できる特性を有しているので、仮止めクリップの形状を自由に設定することができるとともに製品設計の自由度が広がる利点がある。
【００２１】
請求項７に記載の仮止めクリップ付き窓用板状体の発明は、前記目的を達成するために、請求項１、２、３又は４のうちいずれか一つに記載の仮止めクリップが固着されたことを特徴とする。
【００２２】
請求項７に記載の発明によれば、請求項１、２、３又は４のうちいずれか一つに記載の仮止めクリップが固着された仮止めクリップ付き窓用板状体を提供する。すなわち、車体との間で擦れ合いにより生じる異音の発生を防止した仮止めクリップ付きの窓用板状体を提供できる。板状体としては、単板ガラス、強化ガラス、合わせガラス等のガラス板の他、ポリカーボネート類やポリスチレン類等のいわゆる有機透明樹脂材等を例示できる。
【発明の効果】
【００２３】
本発明に係る仮止めクリップによれば、基部、基台部、及び爪部からなる樹脂製のクリップ本体と、車両に当接される緩衝層とを一体形成して仮止めクリップを製造するので、高い生産性を得ることができるとともに、緩衝層により車体側との擦れ合いによる異音の発生を防止することができる。
【００２４】
また、本発明に係る仮止めクリップの製造方法によれば、少なくとも二つ以上の異なる組成の樹脂材料を用いて一体に成形したので、高い生産性を得ることができるとともに、前記樹脂材料のうち軟質の樹脂材料によって、車体側との擦れ合いによる異音の発生を防止することができる。
【００２５】
更に、本発明に係る仮止めクリップ付き窓用板状体によれば、車体との間で擦れ合いに
より生じる異音の発生を防止した仮止めクリップ付きの窓用板状体を提供できる。
【発明を実施するための最良の形態】
【００２６】
以下、添付図面に従って本発明に係る仮止めクリップ及び仮止めクリップの製造方法並びに仮止めクリップ付き窓用板状体の好ましい実施の形態について説明する。
【００２７】
図１は、実施の形態の仮止めクリップ付き窓用板状体１０の斜視図、図２は、その仮止めクリップ１２の斜視図がそれぞれ示されている。
【００２８】
図１に示す仮止めクリップ付き窓用板状体１０は、車両の窓用開口枠部により形成される開口部に取り付けられる略矩形状の車両用窓ガラスであり、その周縁部にはモールド、ガーニッシュと称される樹脂製の周縁部材１４が一体に固着されている。そして、この窓用板状体１０のコーナー部近傍位置に実施の形態の仮止めクリップ１２、１２が固着されている。
【００２９】
なお、実施の形態の窓用板状体１０としては単板ガラスを例示するが、これに限定されるものではなく、例えば強化ガラス、合わせガラス等のガラス板の他、ポリカーボネート類やポリスチレン類等のいわゆる有機透明樹脂材製の板状体であってもよい。
【００３０】
また、実施の形態では、２個の仮止めクリップ１２、１２をコーナー部近傍位置に固着した窓用板状体１０を例示しているが、１枚の窓用板状体１０に対する仮止めクリップ１２の個数及び固着位置はこれに限定されるものではなく、車両の窓用開口枠部に形成される嵌合用孔の個数及び位置に依存する。
【００３１】
更に、窓用板状体１０に対する仮止めクリップ１２の固着方法としては、図３の如く窓用板状体１０の表面にプライマー１６を塗布し、このプライマー１６の塗布部に仮止めクリップ１２の基台部１８を載置し、仮止めクリップ１２を加圧しつつ振動させて、窓用板状体１０に仮止めクリップ１２を超音波溶着する方法が知られている。
【００３２】
一方、仮止めクリップ１２の基台部１８の下面全域には、溶着促進層（接着層）２０が一体形成され、この溶着促進層２０の溶着促進作用により窓用板状体１０に対する仮止めクリップ１２の溶着時間が短縮されている。溶着促進層２０は、樹脂製品である仮止めクリップ１２との相溶性がよく、且つ仮止めクリップ１２より短時間で溶融する軟質の材料、例えば、軟質ΡＶＣ等で形成されることが好ましい。この軟質ＰＶＣは溶着を促進する他、軟質であるが故に衝撃吸収機能も有している。
【００３３】
ところで、実施の形態の仮止めクリップ１２は図２の如く、断面が台形の角柱状の基部２２と、基部２２の底面に略平行に一体形成された板状の基台部１８と、基部２２の上面から基部２２の底面に対して略平行に延出形成された爪部２４とからなる樹脂製のクリップ本体２６を備えている。また、基台部１８と爪部２４との間の隙間には、仮止め用の凹部２８が形成され、更にクリップ本体２６には、少なくとも凹部２８が仮止めされる車両本体と当接する面に緩衝層３０が一体形成されている。
【００３４】
この仮止めクリップ１２は、図４に示すように、車両の鋼板製窓用開口枠部３２に形成される嵌合用孔３４に爪部２４の凹部２８が挿入されるととともに、凹部２８と基部２２との境界コーナー部２９が、嵌合用孔３４の近傍のＬ字状フック部３５に係合されることにより嵌合用孔３４に取り付けられる。この状態において、クリップ本体２６は緩衝層３０を介して窓用開口枠部３２に当接されるため、接着剤３６が硬化するまでの間、窓用板状体１０が窓用開口枠部３２に仮止めされる。なお、この接着剤３６は、窓用板状体１０の周縁部に予め塗布されたウレタン系等の接着剤である。
【００３５】
このように構成されて使用される仮止めクリップ１２によれば、基部２２、基台部１８、及び爪部２４からなる樹脂製のクリップ本体２６と、車両側の窓用開口枠部３２に当接される緩衝層３０とが一体形成されることにより製造されるので、後工程にて緩衝部材をクリップ本体に貼り付ける従来の仮止めクリップと比較して、高い生産性を得ることができる。また、一体成形された緩衝層３０により、窓用開口枠部３２との擦れ合いによる異音の発生を防止することができる。一体成形の手法としては、仮止めクリップ１２の断面形状に対応した金型の出口から樹脂材料を押し出すことにより仮止めクリップを成形する押出成形法、仮止めクリップ１２の形状に対応した空間を有する金型に樹脂材料を射出することにより仮止めクリップを成形する射出成形法を例示できる。
【００３６】
また、この緩衝層３０は、クリップ本体２６よりも軟質の樹脂によって形成されている。このように緩衝層３０が、クリップ本体２６よりも軟質であると、硬質のクリップ本体２６と車両用鋼板製の窓用開口枠部３２との硬質部材同士の擦れ合いを緩衝することができ、異音の発生を防止することができる。
【００３７】
一方でクリップ本体２６は、窓用板状体１０を所定の位置に位置ずれすることなく仮止めする必要があるため、前述の如く剛性のある硬質の樹脂材料によって製造される。ここで硬質とはＨｓＡ８５以上、好ましくはＨｓＡ８５〜１００、更に好ましくはＨｓＡ８５〜９５までの樹脂を指し、軟質樹脂とはＨｓＡ８５以下、好ましくはＨｓＡ５０〜７０、更に好ましくはＨｓＡ５５〜６５までの樹脂を指す。ＨｓＡ８５未満であると、クリップ本体２６に要求される仮止め機能が低下し、ＨｓＡ７０を超えると、擦れ合いの緩衝機能が低下するからである。また、ＨｓＡ６０未満であっても緩衝機能が得られるが、あまりにも軟質であると、仮止め機能に悪影響を及ぼす。このような理由から、双方の機能を兼備するため緩衝層３０の硬さはＨｓＡ６０以上が好ましい。クリップ本体２６の樹脂材料としては、硬質塩化ビニル樹脂（ＰＶＣ）又はポリブチレンテレフタレート（ＰＢＴ等の熱可塑性樹脂、緩衝層３０の樹脂材料としては、軟質ΡＶＣ又は塩素化エチレンコポリマー架橋体アロイによる熱可塑性ゴム（商品名：アルクリン（米国デュポン社製）））、ウレタン系熱可塑性エラストマー（ＴＰＵ）、アクリロニトリル・ブタジエン・スチレン樹脂（ＡＢＳ）、アクリレート・スチレン・アリロニトリル（ＡＳＡ）、接着促進層２０の樹脂材料としては、軟質ＰＶＣを例示できる。クリップ１２は、上記の材料から二つ又は三つ以上の材料を適宜組み合わせて製造される。
【００３８】
更に、仮止めクリップ１２は前述の如く、クリップ本体２６の窓用板状体１０と当接される面には接着促進層２０が形成され、この接着層２０はクリップ本体２６よりも軟質の樹脂材料によって形成されている。このように、クリップ本体２６の窓用板状体１０と当接される面に接着促進層２０を形成することにより、窓用板状体１０に仮止めクリップ１２を短時間で容易に固着することができる。この接着促進層２０は、クリップ本体２６の成形後にクリップ本体２６に接着してもよいが、生産性を高めることから緩衝層３０と同様にクリップ本体２６と一体形成することが好ましい。また、この接着促進層２０は、車両からクリップ本体２６を介して伝達された振動を、窓用板状体１０に伝達することなく緩衝するために、上述の如く軟質の樹脂（軟質ＰＶＣ）であることが好ましい。
【００３９】
実施の形態の仮止めクリップ１２では、緩衝層３０は擦れ合いによる異音を防止することを目的とし、接着促進層２０は振動を緩衝することを目的としており、目的はそれぞれ異なるが、双方の目的を達成する樹脂の特性は、クリップ本体２６よりも軟質であることを要する。よって、緩衝層３０及び接着促進層２０をわざわざ別の軟質樹脂とするのではなく、同一の樹脂（例えば軟質ＰＶＣ）とすることにより、多数の樹脂材料を管理するよりもその管理が容易になる。また、樹脂材料のコストも削減することができる。すなわち、仮止めクリップ１２は、少なくとも二つ以上の異なる組成の樹脂材料を用いて一体に成形されて製造される。これにより、高い生産性を得ることができる。
【００４０】
次に、図を参照して仮止めクリップ１２の製造方法の一例を説明する。
【００４１】
図５は、仮止めクリップ１２の押出成形装置５０の要部を示す斜視図であり、この押出成形装置５０は、少なくとも二つ以上の異なる組成の樹脂材料を用いて一体に押し出すことにより仮止めクリップ１２を製造する。
【００４２】
ダイ５２と称される成形金型の出口は、その断面形状が仮止めクリップの断面形状に合わせて形成されており、この出口には図６に示すように、クリップ本体用樹脂材料と緩衝層用樹脂材料とを隔離する略杓子状の隔壁５４が設けられるとともに、クリップ本体用樹脂材料と接着促進層用樹脂材料とを隔離する略Ｌ字状の一対の隔壁５６、５６が設けられている。
【００４３】
そして、クリップ本体用樹脂材料を不図示のクリップ本体用押出機からダイ５２に供給し、ダイ５２の前記出口を形成するクリップ本体用出口５８より押し出し、緩衝層用樹脂材料を不図示の緩衝層用押出機からダイ５２に供給し、ダイ５２の前記出口を形成する緩衝層用出口６０より押し出し、そして、接着促進層用樹脂材料を接着促進用押出機からダイ５２に供給し、ダイ５２の前記出口に設けられた接着促進層出口６２より押し出す。これらの出口５８、６０、６２から押出されたそれぞれの樹脂材料は、不図示の押付部材により互いに押し付けられて融着される。これにより、図７に示す長尺状の仮止めクリップ成形体１３が連続成形される。この後、所定長さに成形された仮止めクリップ成形体１３をダイ５２から切断し、次に、これを１個長分に分断する。次いで、この分断した仮止めクリップ成形体１３を切削加工して図２に示した仮止めクリップ１２を製造する。
【００４４】
このように多層同時押し出し成形により仮止めクリップ１２を製造することにより、短時間で仮止めクリップ１２を製品化できるので、コストダウンを図ることができる。また、押し出し成形は、ダイ５２の出口の形状を変更するだけで、製品の断面形状を自由に変更できる特性を有しているので、仮止めクリップ１２の形状を自由に設定することができるとともに製品設計の自由度が広がるという利点がある。
【００４５】
また、このような仮止めクリップ１２が固着された窓用板状体１０は、車体との間で擦れ合いにより生じる異音の発生を防止した仮止めクリップ付きの窓用板状体１０として提供できる。
【００４６】
なお、図５の押出成形装置５０において、符号６４は金型を成形する入子であり、符号６６は、入子６４を鉛直方向に押下するアクチュエータであり、符号６８は、ブロック７０を介して入子６４を水平方向に押圧するアクチュエータである。
【００４７】
更にまた、図８に示すように接着促進層２０、２０は、基台部１８の長手方向（押出し形成方向）に複数（図２では２列）の帯状に分割して形成してもよく、一方で、図９に示すように緩衝層３０を基部２２の全面に形成してもよい。
【００４８】
図１０は、仮止めクリップ１２Ａの第１の変形例を示した断面図である。
【００４９】
同図に示す仮止めクリップ１２Ａと図３に示した仮止めクリップ１２との構成の相違点は、図３に示した仮止めクリップ１２の凹部２８に対して、図１０の仮止めクリップ１２Ａの凹部２８Ａを大きめに形成し、この凹部２８Ａのみに緩衝層３０Ａを一体形成した点、及び仮止めクリップ１２Ａの基台部１８Ａの底面に接着剤８０を塞き止めるための一対の凸部８２、８２を図１１の如く一体形成した点にある。
【００５０】
このように構成された仮止めクリップ１２Ａによれば、図１２の如く、凸部８２と凸部８２との間のポケット８４に塗布された接着剤８４によって仮止めクリップ１２Ａが窓用板状体１０に固定される。また、接着剤８０は凸部８２、８２がスペーサーの役目を果たすことにより、接着剤８０の厚さが一定になり、安定した接着力が得られる。また、仮止めクリップ１２Ａと窓用板状体１０とによって接着剤８０が塞き止められるためポケット８４から流出せず、ポケット８４内で固化される。このため、接着剤８０の凸部８２の外へのはみ出しが抑制でき、接着作業の効率が向上する。また、この仮止めクリップ１２Ａは、端部がストレートに形成された窓用開口枠部３２の嵌合用孔３４に、クリップ本体２６Ａの爪部２４Ａが嵌合される。
【００５１】
図１３は、第２の変形例の仮止めクリップ１２Ｂを利用して仮止めクリップ付き窓用板状体１０が車体に取り付けられた状態を示す要部拡大断面図である。
【００５２】
同図によれば、仮止めクリップ１２Ｂの基台部１８Ｂが両面テープ８６によって窓用板状体１０に固着されている。なお、両面テープ８６に代えてプライマーと接着剤とによって仮止めクリップ１２Ｂを窓用板状体１０に固着してもよい。
【００５３】
また、仮止めクリップ１２Ｂの爪部２４Ｂが、端部がストレートに形成された窓用開口枠部３２の嵌合用孔３４に嵌合される。
【００５４】
ところで、同図に示す仮止めクリップ１２Ｂは、窓用板状体１０を鉛直方向に仮止めするクリップである。窓用板状体１０の仮止め中において、仮止めクリップ１２Ｂには、窓用板状体１０の質量により、すなわち、図中矢印Ａ方向で示す窓用板状体１０の重力により、図中Ｂ方向で示す力（窓用板状体１０から仮止めクリップ１２Ｂを剥離させようとする力）が加えられることになる。ここで仮止めクリップ１２Ｂには、基台部１８Ｂから窓用開口枠部３２に当接するストッパ片８８が一体形成されている。ストッパ片８８が窓用開口枠部３２に当接することにより、Ｂ方向で示す力を窓用開口枠部３２に負荷させることができ、それにより仮止めクリップ１２Ｂの窓用板状体１０からの剥離を防止できる。また、ストッパ片８８の窓用開口枠部３２に当接する端面には、ゴム等の緩衝部材９０が貼り付けられ、又はストッパ片９０に一体形成されている。なお、同図において、符号２２Ｂは仮止めクリップ１２Ｂの基部、符号３０Ｂは緩衝層である。
【００５５】
図１４には、仮止めクリップ１２Ｃの第３の変形例を示した断面図が示されている。
【００５６】
同図に示す仮止めクリップ１２Ｃは、基台部１８Ｃの底部の略中央部に凸部９２を形成し、超音波溶着時において、凸部９２により仮止めクリップ１２Ｃと窓用板状体１０とが確実に接触し、これを起点として仮止めクリップ１２Ｃを窓用板状体１０にプライマー１６を介して確実に溶着するように構成したものである。なお、同図において、符号２２Ｃは仮止めクリップ１２Ｃの基部、２４Ｃは仮止めクリップ１２Ｃの爪部、符号３０Ｃは緩衝層である。
【図面の簡単な説明】
【００５７】
【図１】本発明の実施の形態に係る仮止めクリップ付き窓用板状体の斜視図
【図２】図１に示した仮止めクリップの斜視図
【図３】図２に示した仮止めクリップを窓用板状体に固着する説明図
【図４】図１に示した仮止めクリップ付き窓用板状体が車体に取り付けられた状態を示す要部拡大断面図
【図５】図２に示した仮止めクリップを製造する押出成形装置の一例を示した斜視図
【図６】図５に示した押出成形装置のダイの出口形状を示した説明図
【図７】図５に示した押出成形装置によって成形された仮止めクリップ成形体の斜視図
【図８】接着促進層が基台部の長手方向に複数の帯状に分割して形成されたクリップの断面図
【図９】緩衝層が基部の全面に形成されたクリップの断面図
【図１０】仮止めクリップの第１の変形例を示した断面図
【図１１】図１０に示した仮止めクリップを底面方向から見た斜視図
【図１２】図１０に示した仮止めクリップを利用して仮止めクリップ付き窓用板状体が車体に取り付けられた状態を示す要部拡大断面図
【図１３】第２の変形例の仮止めクリップを利用して仮止めクリップ付き窓用板状体が車体に取り付けられた状態を示す要部拡大断面図
【図１４】仮止めクリップの第３の変形例を示した断面図
【符号の説明】
【００５８】
１０…仮止めクリップ付き窓用板状体、１２、１２Ａ、１２Ｂ、１２Ｃ…仮止めクリップ、１３…仮止めクリップ成形体、１４…周縁部材、１６…プライマー、１８、１８Ａ、１８Ｂ、１８Ｃ…基台部、２０…溶着促進層、２２、２２Ａ、２２Ｂ、２２Ｃ…基部、２４、２４Ａ、２４Ｂ、２４Ｃ…爪部、２６、２６Ａ、２６Ｂ、２６Ｃ…クリップ本体、２８、２８Ａ…凹部、３０…緩衝層、３２…窓用開口枠部、３４…嵌合用孔、３６…接着剤、５０…押出成形装置、５２…ダイ、５４…隔壁、５６…隔壁、５８…出口、６０…出口、６２…出口、６４…入子、６６…アクチュエータ、６８…アクチュエータ、７０…ブロック、８０…接着剤、８２…凸部、８４…ポケット、８６…両面テープ、８８…ストッパ片、９０…緩衝部材、９２…凸部
【図１】
2008175387.tif 000003
【図２】
2008175387.tif 000004
【図３】
2008175387.tif 000005
【図４】
2008175387.tif 000006
【図５】
2008175387.tif 000007
【図６】
2008175387.tif 000008
【図７】
2008175387.tif 000009
【図８】
2008175387.tif 000010
【図９】
2008175387.tif 000011
【図１０】
2008175387.tif 000012
【図１１】
2008175387.tif 000013
【図１２】
2008175387.tif 000014
【図１３】
2008175387.tif 000015
【図１４】
2008175387.tif 000016